(57)【特許請求の範囲】
【請求項１】
対向する２つの側板及び前記側板に固定される複数の支持構造を備えてなるサーバーキャビネットであって、
前記側板は、本体、前記本体から外へ突出して形成される複数の横長部、複数の上接続部及び複数の下接続部を備え、前記横長部は横向きに延在し、前記横長部の上端は前記上接続部によって前記本体に接続され、前記横長部の下端は前記下接続部によって前記本体に接続され、前記横長部及び該横長部に接続される前記上接続部には、前記横長部及び該横長部に接続される前記上接続部を貫通する複数のＴ字状の係合スロットが設けられ、前記係合スロットは、前記横長部に位置する拡大部分及び前記上接続部に位置する狭窄部分を備え、
前記支持構造は、前記横長部の内表面に当接する固定部と、前記固定部に直交し且つサーバーを支持するために用いられる支持部と、前記固定部の上端に位置する複数のＴ字状の係合部と、を備え、前記Ｔ字状の係合部は、前記Ｔ字状の係合スロットの拡大部分から前記Ｔ字状の係合スロットに挿入されて、前記Ｔ字状の係合スロットの狭窄部分に係合することを特徴とするサーバーキャビネット。
【請求項２】
前記下接続部には、複数の係合孔が設けられ、前記固定部の下端には、複数の前記係合孔に挿入される複数の挿入部が形成されることを特徴とする請求項１に記載のサーバーキャビネット。
【請求項３】
前記横長部の内表面には、複数の定位突起が形成され、前記固定部には、前記定位突起と係合するための複数の定位孔が設けられることを特徴とする請求項１または２に記載のサーバーキャビネット。
【請求項４】
一方の前記側板の前記横長部の内表面と対向する他方の側板との間の距離は、一方の前記側板の前記本体の内表面と対向する他方の側板との間の距離より大きいことを特徴とする請求項１から３のいずれか一項に記載のサーバーキャビネット。
【請求項５】
Ｔ字状の前記係合部は、頭部と、前記頭部及び前記固定部を接続する頚部と、を備え、前記頭部の幅は、前記頚部の幅より大きく且つ前記係合スロットの狭窄部分の幅より大きいことを特徴とする請求項１から４のいずれか一項に記載のサーバーキャビネット。
【発明の詳細な説明】
【技術分野】
【０００１】
本発明は、サーバーキャビネットに関するものである。
【背景技術】
【０００２】
情報技術の発展に伴って、データを貯蓄及び演算するために、各種のデータセンターを設立した。複数のサーバーを１つのサーバーキャビネットに装着すると、空間を節約するばかりでなく、容易に管理することができ、複数のサーバーが協働して作動するため、大量の演算処理を実行することができる。従って、サーバーキャビネットは、データセンターを設立する時に広く応用される。
【０００３】
従来のサーバーキャビネットは、互いに対向して設置される底板及び頂板と、前記頂板と前記底板との間に接続される２つの対向する側板と、を備える。前記側板には、複数の水平支持構造が前記側板の縦方向に沿って互いに離間して設置されて、前記サーバーキャビネットに装着する複数のサーバーを支持するために用いられる。
【発明の概要】
【発明が解決しようとする課題】
【０００４】
しかし、前記水平支持構造は、ねじのような固定構造によって前記側板に固定されており、ドライバーのような専門の道具で前記水平支持構造を前記側板に取り付けるか又は前記側板から取り外すことを必要とするので、操作が面倒である。
【０００５】
本発明の目的は、前記課題を解決し、支持構造を容易に取り付けるか取り外すことができるサーバーキャビネットを提供することである。
【課題を解決するための手段】
【０００６】
本発明に係るサーバーキャビネットは、対向する２つの側板及び前記側板に固定される複数の支持構造を備え、前記側板は、本体、前記本体から外へ突出して形成される複数の横長部、複数の上接続部及び複数の下接続部を備え、前記横長部は横向きに延在し、前記横長部の上端は前記上接続部によって前記本体に接続され、前記横長部の下端は前記下接続部によって前記本体に接続され、前記横長部及びこれに接続される前記上接続部には、前記横長部及びこれに接続される前記上接続部を貫通する複数のＴ字状の係合スロットが設けられ、前記係合スロットは、前記横長部に位置する拡大部分及び前記上接続部に位置する狭窄部分を備え、前記支持構造は、前記横長部の内表面に当接する固定部と、前記固定部に直交し且つサーバーを支持するために用いられる支持部と、前記固定部の上端に位置する複数のＴ字状の係合部と、を備え、前記Ｔ字状の係合部は、前記Ｔ字状の係合スロットの拡大部分から前記Ｔ字状の係合スロットに挿入されて、前記Ｔ字状の係合スロットの狭窄部分に係合する。
【発明の効果】
【０００７】
本発明のサーバーキャビネットにおいて、支持構造は係合することによって側板に固定されるので、ねじのような固定構造を必要とせず、前記支持構造を取り付けるか取り外す場合、ドライバーのような専門な道具を必要としないので、前記支持構造を容易に取り付けるか取り外すことができる。
【図面の簡単な説明】
【０００８】
【図１】本発明の実施形態に係るサーバーキャビネットの斜視図である。
【図２】図１に示すサーバーキャビネットに複数のサーバーを装着した状態を示す図である。
【図３】図１に示すサーバーキャビネットに支持構造を取り付ける前の構造を示す図である。
【図４】図３のＣ部の拡大図である。
【図５】図３のＤ部の拡大図である。
【図６】図１に示すサーバーキャビネットの支持構造の斜視図である。
【図７】図１のＡ部の拡大図である。
【図８】図１のＢ部の拡大図である。
【図９】本発明の実施形態に係るサーバーキャビネットの支持構造を側板に取り付ける過程を示す図である。
【発明を実施するための形態】
【０００９】
以下、図面を参照して、本発明の実施形態について説明する。
【００１０】
図１及び図２を参照すると、本発明の実施形態に係るサーバーキャビネット１００は、複数のサーバー２００を収容するために用いられる。前記サーバーキャビネット１００は、底板１０と、頂板２０と、２つの対向する側板３０と、複数の支持構造４０と、を備える。
【００１１】
前記底板１０及び前記頂板２０は互いに対向して設置されており、前記サーバーキャビネット１００を使用する場合、前記頂板２０は前記底板１０の上方に位置する。２つの前記側板３０は、前記底板１０と前記頂板２０との間に接続される。前記サーバーキャビネット１００は、２つの前記側板３０の間に位置する挿入口１０１を有し、前記挿入口１０１から前記サーバー２００を前記サーバーキャビネット１００の内部に挿入する。
【００１２】
図３〜図５を参照すると、前記側板３０は、本体３１と、前記本体３１から外へ突出して形成される複数の横長部３２と、複数の下接続部３３と、複数の上接続部３４と、を備える。好ましくは前記側板３０全体が一体構造である。
【００１３】
前記横長部３２は、前記本体３１に平行となるように横向きに延在し、即ち前記側板３０の前記挿入口１０１に近い一端から前記挿入口１０１と離れている一端に向かって延在する。前記横長部３２の上端、即ち前記横長部３２の前記頂板２０に近い一端は前記上接続部３４によって前記本体３１に接続される。前記横長部３２の下端、即ち前記横長部３２の前記底板１０に近い一端は前記下接続部３３によって前記本体３１に接続される。一方の側板３０の前記横長部３２の内表面と対向する他方の側板３０との間の距離は、一方の側板３０の前記本体３１の内表面と対向する他方の側板３０との間の距離より大きく、従って前記横長部３２、前記下接続部３３及び前記上接続部３４の内表面が囲んで１つの横長い凹部３５を形成し、前記凹部３５の深さは、前記本体３１の厚さより大きい。
【００１４】
前記横長部３２及びこれに接続される前記上接続部３４には、前記横長部３２及びこれに接続される前記上接続部３４を貫通する複数のＴ字状の係合スロット３６が設けられる。前記係合スロット３６は、前記横長部３２に位置する拡大部分３６１及び前記上接続部３４に位置する狭窄部分３６２を備える。前記下接続部３３には、前記下接続部３３を貫通する複数の係合孔３７が設けられる。本実施形態において、前記上接続部３４及び前記下接続部３３は、全て前記横長部３２にほぼ直交する。前記横長部３２の内表面には、複数の定位突起３２１が形成される。
【００１５】
図６〜図８を参照すると、前記支持構造４０は、横長い固定部４１と、前記固定部４１の長手方向に沿った一側に接続される支持部４２と、前記固定部４１の前記支持部４２と離れている一端から突出する複数のＴ字状の係合部４３と、前記固定部４１の前記係合部４３と離れている一端から突出する複数の挿入部４４と、を備える。好ましくは、前記支持構造４０全体が一体構造である。
【００１６】
前記固定部４１及び前記支持部４２は直交する。前記固定部４１は、前記横長部３２の内表面に当接し、前記支持部４２は、前記サーバー２００を支持するために用いられる。好ましくは、前記固定部４１の厚さが前記凹部３５の深さより小さく、従って前記固定部４１の下端は前記下接続部３３の内表面に完全に当接する。
【００１７】
Ｔ字状の前記係合部４３は、頭部４３１と、前記頭部４３１と前記固定部４１とを接続する頚部４３３と、を備える。前記頭部４３１の幅は、前記頚部４３３の幅より大きく、且つ前記係合スロット３６の狭窄部分３６２の幅より大きく、従って前記係合部４３の頭部４３１が前記係合スロット３６の狭窄部分３６２に係合するようにする。前記挿入部４４は、前記下接続部３３の係合孔３７に挿入される。本実施形態において、前記固定部４１には、複数の定位孔４１１が設けられており、前記横長部３２の定位突起３２１は前記固定部４１の定位孔４１１に係合して、前記固定部４１を位置決めする。
【００１８】
図９を参照すると、前記支持構造４０を取り付ける場合、前記支持構造４０の係合部４３を前記係合スロット３６の拡大部分３６１から前記係合スロット３６に挿入してから、前記支持構造４０を回動して、前記係合部４３を前記係合スロット３６の狭窄部分３６２に係合させ、前記支持構造４０の固定部４１を前記横長部３２に当接させ、前記支持構造４０の挿入部４４を前記係合孔３７に挿入し、続いて前記支持構造４０の固定部４１を押圧して、前記横長部３２の定位突起３２１を前記固定部４１の定位孔４１１に係合させて、前記支持構造４０を前記側板３０に取り付ける。前記支持構造４０を取り外す過程は、前記支持構造４０を取り付ける過程と逆なので、詳しい説明を省略する。
【００１９】
本発明のサーバーキャビネット１００において、前記支持構造４０は係合することによって前記側板３０に固定されるので、ねじのような固定構造を必要とせず、前記支持構造４０を取り付けるか取り外す場合、ドライバーのような専門な道具を必要としないので、前記支持構造４０を容易に取り付けるか取り外すことができる。
【００２０】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２１】
１０  底板
２０  頂板
３０  側板
３１  本体
３２  横長部
３３  下接続部
３４  上接続部
３５  凹部
３６  係合スロット
３７  係合孔
４０  支持構造
４１  固定部
４２  支持部
４３  係合部
４４  挿入部
１００  サーバーキャビネット
１０１  挿入口
２００  サーバー
３２１  定位突起
３６１  拡大部分
３６２  狭窄部分
４３１  頭部
４３３  頚部
【図１】
0005379264.tif 000002
【図２】
0005379264.tif 000003
【図３】
0005379264.tif 000004
【図４】
0005379264.tif 000005
【図５】
0005379264.tif 000006
【図６】
0005379264.tif 000007
【図７】
0005379264.tif 000008
【図８】
0005379264.tif 000009
【図９】
0005379264.tif 000010